(57)【特許請求の範囲】
【請求項１】
接続したヘッドフォンにより音響信号を再生する再生手段を備えた音響特性補正装置であって、
複数のヘッドフォンにそれぞれ対応する音響特性の補正データを含む複数のヘッドフォン毎プリセットデータを記憶した第１の記憶手段と、
複数の使用環境にそれぞれ対応する音響特性の補正データを含む複数の使用環境毎プリセットデータを記憶した第２の記憶手段と、
前記複数のヘッドフォン毎プリセットデータのうちの任意の１つと前記複数の使用環境毎プリセットデータのうちの任意の１つとを組み合わせたプリセットデータを記憶した第３の記憶手段と、
前記第３の記憶手段に記憶されているプリセットデータから１つのプリセットデータを選択する手段と、
選択されたプリセットデータのヘッドフォン毎プリセットデータの補正データ、および選択されたプリセットデータの使用環境毎プリセットデータの補正データに基づいて、前記再生手段で再生する音響信号の特性を補正する特性補正手段と、
接続されたヘッドフォンが自機を特定する情報を通知する機能を有するものであり、該ヘッドフォンから自機を特定する情報が通知されたとき、そのヘッドフォンに対応するヘッドフォン毎プリセットデータが前記第１の記憶手段に登録されているか否かを判定する判定手段と、
前記判定手段により、接続されたヘッドフォンに対応するヘッドフォン毎プリセットデータが前記第１の記憶手段に登録されていないと判定された場合、新たに当該接続されたヘッドフォンに対応するヘッドフォン毎プリセットデータを新規作成して前記第１の記憶手段に登録し、そのヘッドフォン毎プリセットデータと現在選択されている使用環境毎プリセットデータとを組み合わせたプリセットデータを新規作成して前記第３の記憶手段に登録し、該登録したプリセットデータに基づいて前記特性補正手段による特性の補正を行うように設定する手段と
を備えることを特徴とする音響特性補正装置。
【請求項２】
請求項１に記載の音響特性補正装置において、さらに、
新規に作成したヘッドフォン毎プリセットデータを前記第１の記憶手段に登録する手段と、
新規に作成した使用環境毎プリセットデータを前記第２の記憶手段に登録する手段と、
前記第１の記憶手段に記憶されているヘッドフォン毎プリセットデータと前記第２の記憶手段に記憶されている使用環境毎プリセットデータとを任意に組み合わせたプリセットデータを新規に作成して前記第３の記憶手段に登録する手段と、
前記ヘッドフォン毎プリセットデータに含まれる補正データを調整する手段と、
前記使用環境毎プリセットデータに含まれる補正データを調整する手段と
を備えることを特徴とする音響特性補正装置。
【請求項３】
請求項１または２に記載の音響特性補正装置において、
前記判定手段により、接続されたヘッドフォンに対応するヘッドフォン毎プリセットデータが前記第１の記憶手段に登録されていると判定された場合、そのヘッドフォン毎プリセットデータと現在選択されている使用環境毎プリセットデータとを組み合わせたプリセットデータが前記第３の記憶手段に登録されているか否か判定し、登録されていたら、該プリセットデータに基づいて前記特性補正手段による特性の補正を行うように設定することを特徴とする音響特性補正装置。
【発明の詳細な説明】
【技術分野】
【０００１】
この発明は、音楽や音声などの音響信号を再生する装置にヘッドフォンを接続したとき、接続した当該ヘッドフォンの特性に応じてプレーヤ側で音響特性の補正を行う技術に関する。
【背景技術】
【０００２】
従来より、各種の音響信号を再生する再生装置には、トータルレベルやＥＱ（イコライザ）などの音響信号の特性を調整あるいは補正する機能が設けられている。特に、コンシューマー向けの製品（例えばラジカセやカーナビなど）では、ノーマル、ダンス、クラシック、ロックなどの再生する音楽の種類をユーザが選択することで、その音楽に合った音響特性に補正する機能を設けたものが知られている。
【０００３】
一方、携帯型の音楽再生装置（例えば、携帯電話や携帯型音楽プレーヤなど）では、ヘッドフォンで音楽を再生することが多い。ユーザによっては、１台の再生装置に対して複数のヘッドフォンを差し替えて音楽を聴くケースも少なくない。ヘッドフォンもそれぞれ固有の音響特性を持つため、ヘッドフォンを差し替えたときには、ユーザはそのヘッドフォンの特性に応じてレベルやＥＱなどを自分で細かく調整する必要があった。
【０００４】
下記特許文献１には、ヘッドフォンとスピーカとで音響特性を補正（切り替え）する技術が開示されている。これは、スピーカシステムからヘッドフォンに切り替えたときに、目的とする臨場感が得られないことがあることに鑑み、ヘッドフォンジャック用挿入口にスイッチを設け、ヘッドフォンジャックが挿入されているときはヘッドフォンモード、そうでないときはスピーカモードとし、それらのモードに応じたパラメータをそれぞれ適用することで、両モードとも音像の定位位置が目的の位置となるようにするものである。
【先行技術文献】
【特許文献】
【０００５】
【特許文献１】特開平１０−７０７９５号公報
【発明の概要】
【発明が解決しようとする課題】
【０００６】
上述したように、音楽再生装置では、ヘッドフォンを差し替えたときそのヘッドフォンの特性に応じてレベルやＥＱなどをユーザが細かく調整しなければならないという問題があった。上記特許文献１に記載の技術によれば、スピーカとヘッドフォンとを相互に切り替えたときの音像の定位位置の自動設定は可能だが、複数のヘッドフォンを使い分けることはできない。また、レベルやＥＱの調整もできない。
【０００７】
一方、使用環境（例えば、室内、アウトドア、電車内など）によっても、音響特性を変えたい場合があるが、これらを簡単に切り替える機能は無いため、ユーザが個別に調整するのが現実であった。
【０００８】
この発明は、接続するヘッドフォン毎にその特性に応じた補正用データ（レベルやＥＱなど）を用意しておき、ヘッドフォンを差し替える毎に、そのヘッドフォンに応じた特性に簡単に切り替える（補正する）ことができる音響特性補正装置を提供することを目的とする。また、加えて使用環境（例えば、室内、アウトドア、電車内など）に応じた特性を保持し、使用環境に応じた特性とヘッドフォンに応じた特性とを組み合わせて音響特性を補正できる音響特性補正装置を提供することを目的とする。
【課題を解決するための手段】
【０００９】
上記目的を達成するため、請求項１に係る発明は、接続したヘッドフォンにより音響信号を再生する再生手段を備えた音響特性補正装置であって、複数のヘッドフォンにそれぞれ対応する音響特性の補正データを含む複数のヘッドフォン毎プリセットデータを記憶した第１の記憶手段と、複数の使用環境にそれぞれ対応する音響特性の補正データを含む複数の使用環境毎プリセットデータを記憶した第２の記憶手段と、前記複数のヘッドフォン毎プリセットデータのうちの任意の１つと前記複数の使用環境毎プリセットデータのうちの任意の１つとを組み合わせたプリセットデータを記憶した第３の記憶手段と、前記第３の記憶手段に記憶されているプリセットデータから１つのプリセットデータを選択する手段と、選択されたプリセットデータのヘッドフォン毎プリセットデータの補正データ、および選択されたプリセットデータの使用環境毎プリセットデータの補正データに基づいて、前記再生手段で再生する音響信号の特性を補正する特性補正手段と、接続されたヘッドフォンが自機を特定する情報を通知する機能を有するものであり、該ヘッドフォンから自機を特定する情報が通知されたとき、そのヘッドフォンに対応するヘッドフォン毎プリセットデータが前記第１の記憶手段に登録されているか否かを判定する判定手段と、前記判定手段により、接続されたヘッドフォンに対応するヘッドフォン毎プリセットデータが前記第１の記憶手段に登録されていないと判定された場合、新たに当該接続されたヘッドフォンに対応するヘッドフォン毎プリセットデータを新規作成して前記第１の記憶手段に登録し、そのヘッドフォン毎プリセットデータと現在選択されている使用環境毎プリセットデータとを組み合わせたプリセットデータを新規作成して前記第３の記憶手段に登録し、該登録したプリセットデータに基づいて前記特性補正手段による特性の補正を行うように設定する手段とを備えることを特徴とする。
【００１０】
請求項２に係る発明は、請求項１に記載の音響特性補正装置において、さらに、新規に作成したヘッドフォン毎プリセットデータを前記第１の記憶手段に登録する手段と、新規に作成した使用環境毎プリセットデータを前記第２の記憶手段に登録する手段と、前記第１の記憶手段に記憶されているヘッドフォン毎プリセットデータと前記第２の記憶手段に記憶されている使用環境毎プリセットデータとを任意に組み合わせたプリセットデータを新規に作成して前記第３の記憶手段に登録する手段と、前記ヘッドフォン毎プリセットデータに含まれる補正データを調整する手段と、前記使用環境毎プリセットデータに含まれる補正データを調整する手段とを備えることを特徴とする。
【００１１】
請求項３に係る発明は、請求項１または２に記載の音響特性補正装置において、前記判定手段により、接続されたヘッドフォンに対応するヘッドフォン毎プリセットデータが前記第１の記憶手段に登録されていると判定された場合、そのヘッドフォン毎プリセットデータと現在選択されている使用環境毎プリセットデータとを組み合わせたプリセットデータが前記第３の記憶手段に登録されているか否か判定し、登録されていたら、該プリセットデータに基づいて前記特性補正手段による特性の補正を行うように設定することを特徴とする。
【発明の効果】
【００１３】
本発明によれば、複数のヘッドフォンを利用して音響再生を行う際に、接続するヘッドフォン毎にその特性に応じた補正用データ（レベルやＥＱなど）を用意してあるので、ヘッドフォンを差し替える毎に、そのヘッドフォンに応じた特性に簡単に切り替える（補正する）ことができる。特に、ヘッドフォンが自機を特定する情報を通知するタイプの機器であれば、その情報に基づいて自動で特性の切り替えを行うことができる。また、加えて使用環境（例えば、室内、アウトドア、電車内など）に応じた特性を保持しており、使用環境に応じた特性とヘッドフォンに応じた特性とを組み合わせたプリセットデータに基づいて音響特性を補正するので、そのプリセットデータを選択するだけで簡単にヘッドフォンと使用環境を組み合わせた特性での音響の再生を行うことができる。
【図面の簡単な説明】
【００１４】
【図１】本発明の実施形態に係る携帯型音楽プレーヤのハードウェア構成図
【図２】携帯型プレーヤとヘッドフォン（アナログ）の外観図
【図３】携帯型プレーヤとヘッドフォン（ディジタル）の外観図
【図４】再生モジュール（アナログのヘッドフォンの場合）のブロック構成図
【図５】再生モジュール（ディジタルのヘッドフォンの場合）のブロック構成図
【図６】プリセットデータの構成図
【図７】プリセット選択画面を示す図
【図８】プリセット編集画面を示す図
【図９】ＥＱおよびレベルの補正画面を示す図
【図１０】ＩＤ付きヘッドフォンが接続されたときのフロー
【発明を実施するための形態】
【００１５】
以下、図面を用いて、この発明の実施の形態を説明する。
【００１６】
図１は、この発明の実施の形態である音響特性補正装置（ヘッドフォンイコライジングシステム）を適用した携帯型音楽プレーヤのハードウェア構成を示すブロック図である。中央処理装置（ＣＰＵ）１０１は、この携帯型プレーヤ全体の動作を制御する処理装置である。リードオンリメモリ（ＲＯＭ）１０２は、ＣＰＵ１０１が実行する各種のプログラムや各種のデータなどを格納した不揮発性メモリである。ランダムアクセスメモリ（ＲＡＭ）１０３は、ＣＰＵ１０１が実行するプログラムのロード領域やワーク領域に使用する揮発性メモリの部分と、音楽データを格納する不揮発性メモリ（フラッシュメモリ）の部分を有する。表示部１０５は、各種の情報を表示するためのディスプレイ（ＬＣＤ）である。表示インターフェース（ＩＦ）１０４は、表示部１０５を通信バス１２１に接続するためのインターフェースである。操作子１０７は、ユーザが操作するための各種のボタンやスイッチである。検出ＩＦ１０６は、操作子１０７を通信バス１２１に接続するインターフェースである。通信Ｉ／Ｏ１０９は、各種の外部装置（例えば、パソコンなど）と接続するための入出力部である。通信ＩＦ１０８は、通信Ｉ／Ｏ１０９を通信バス１２１に接続するためのインターフェースである。
【００１７】
信号処理部（ＤＳＰ）１１０は、ＣＰＵ１０１の指示に基づいて各種のマイクロプログラムを実行することにより、音楽データのデコード、ＥＱ補正、およびレベル補正などの処理を行い、処理後のディジタル音響信号を出力する。ＤＳＰ１１０には音声バス１２２を介してＤＡユニット１１３が接続されている。ＤＡユニット１１３は、ディジタルアナログ変換器を備え、ＤＳＰ１１０から出力されるディジタル音響信号をアナログ音響信号に変換してスピーカやヘッドフォンなどのアナログ方式の音響出力機器に出力する。Ｂｌｕｅｔｏｏｔｈ（商標）モジュール１１１は、近距離無線通信でディジタル音響信号をストリーミング配信するためのモジュールである。やはりＢｌｕｅｔｏｏｔｈ（商標）規格の通信機能を備えたヘッドフォン等とペアリングすることにより、本携帯型プレーヤから該ヘッドフォン等に近距離無線通信でディジタル音響信号をストリーミング配信することができる。
【００１８】
図２は、本実施形態の携帯型プレーヤにアナログ方式のヘッドフォンを接続した場合の外観図を示す。携帯型プレーヤ２００は、ディスプレイ２０１（図１の表示部１０５に相当する）と各種の操作ボタン２０２（図１の操作子１０７に相当する）とを備える。アナログ方式のヘッドフォン２０３（アナログ音響信号を受けて放音するもの）が、接続コード２０４によりプレーヤ２００と接続されている。
【００１９】
図３は、本実施形態の携帯型プレーヤにディジタル方式のヘッドフォンを接続した場合の外観図を示す。図２と同じ付番は同じものを表す。ここではＢｌｕｅｔｏｏｔｈ（商標）によりペアリングを行って、プレーヤ２００とヘッドフォン３０３とを接続し、プレーヤ２００からディジタル音響信号を無線通信でヘッドフォンにストリーミング配信する例を示している。ヘッドフォン３０３は、ストリーミング配信されるディジタル音響信号を受信し、ＤＡ（ディジタル・アナログ）変換し、音声として放音する機能を備えている。
【００２０】
図４は、本実施形態の携帯型プレーヤの再生モジュール（アナログ方式のヘッドフォンの場合）のブロック構成図である。再生モジュールとは、音楽データを再生する機能を果たす部分を機能ブロックで表現したものであるが、実際には図１のハードウェアで実現している。
【００２１】
再生モジュール４００は、音楽データＲＡＭ４０１、再生部４０２、ＥＱ補正４０３、レベル補正４０４、増幅部４０５、ＣＰＵ４０６、およびプリセットデータＲＡＭ４０７を備える。ＣＰＵ４０６は、図１のＣＰＵ１０１に対応する。音楽データＲＡＭ４０１は、所定の形式の音楽データを格納したフラッシュメモリであり、図１のＲＡＭ１０３に対応する。再生部４０２は、音楽データＲＡＭ４０１から読み出した音楽データをデコードし非圧縮形式のディジタル音響信号に変換する。ＥＱ補正４０３は、再生部４０２から出力されるディジタル音響信号に対し、ＣＰＵ４０６から与えられた制御データ（補正データ）に基づく周波数特性の補正（具体的には７バンドの各周波数帯域におけるレベルの補正）を行う。レベル補正４０４は、ＥＱ補正４０３の出力信号に対して、ＣＰＵ４０６から与えられる制御データ（補正データ）に基づき、トータルレベルの補正を行う。レベル補正４０４の出力信号は、増幅部４０５でＤＡ（ディジタル・アナログ）変換されて増幅されアナログ方式のヘッドフォン２０３に出力される。プリセットデータＲＡＭ４０７は、複数のヘッドフォンの特性に応じたプリセットデータや使用環境に応じたプリセットデータを格納した記憶装置（その記憶領域は、図１のＲＡＭ１０３のフラッシュメモリ部分にとるものとする）であるが、これについては図６で詳しく説明する。
【００２２】
図５は、再生モジュール（ディジタル方式のヘッドフォンの場合）のブロック構成図を示す。ディジタル方式のヘッドフォンの場合も、再生モジュール５００内の付番４０１〜４０４，４０６，４０７の各部は、図４の同じ付番の各部と同じものである。Ｂｌｕｅｔｏｏｔｈ（商標）モジュール５０５は、図１の１１１に対応し、レベル補正４０４から出力されるディジタル音響信号を、Ｂｌｕｅｔｏｏｔｈ（商標）規格に則って、近接無線通信でヘッドフォン３０３にストリーミング配信する。
【００２３】
図６は、本実施形態の携帯型プレーヤでＲＡＭ１０３のフラッシュメモリ部分に保持するプリセットデータのデータ構成を示す。図６（ａ）は、プリセットデータテーブルを示す。プリセットデータテーブルは、フィールドとして、プリセットデータのデータ名称６０１、ヘッドフォン毎プリセットデータを特定するＩＤ６０２、および、使用環境毎プリセットデータを特定するＩＤ６０３を備える。
【００２４】
図６（ｂ）は、ヘッドフォン毎プリセットデータテーブルを示す。ヘッドフォン毎プリセットデータテーブルは、フィールドとして、ヘッドフォン毎プリセットデータを特定するＩＤ６１１、ヘッドフォン名称６１２、ヘッドフォンＩＤ６１３、および、ＥＱ・レベル補正データ６１４を備える。ＥＱ・レベル補正データ６１４は、当該ヘッドフォンに対応する７バンドＥＱの周波数特性を補正するための補正データおよびトータルレベルを補正するための補正データである。
【００２５】
図６（ｃ）は、使用環境毎プリセットデータテーブルを示す。使用環境毎プリセットデータテーブルは、フィールドとして、使用環境毎プリセットデータを特定するＩＤ６２１、使用環境の名称６２２、および、ＥＱ・レベル補正データ６２３を備える。ＥＱ・レベル補正データ６２３は、当該使用環境に対応する７バンドＥＱの周波数特性を補正するための補正データおよびトータルレベルを補正するための補正データである。
【００２６】
図７は、プリセット選択画面を示す。プリセット選択画面７００は、上述の構成の携帯型プレーヤで所定の操作を行うことにより表示部１０５（図２，３の２０１）の画面上に表示される。なお、携帯型プレーヤのディスプレイは小型であるので、実際に図７や後述する図８，９の画面の全体を一度に表示することができない場合があるが、上下左右にスクロールできるようにしたり、表示要素を縦に並べ上下にスクロールさせることにより、全体を見渡せるようにする。また、ここでは図７〜９の画面を携帯型プレーヤのディスプレイに表示するものとして説明するが、通信Ｉ／Ｏ１０９経由で接続したＰＣのディスプレイにこれらの画面を表示し、ＰＣから各種の設定を行うこともできる。
【００２７】
図７において、７０１は、選択可能なプリセットの一覧表示である。この一覧表示７０１は、図６（ａ）のプリセットデータテーブルに登録されているプリセットデータのデータ名称６０１をリスト表示したものである。ユーザがこの一覧表示７０１から任意の１つのプリセットデータを選択してＯＫボタン７１１を押下すると、選択されたプリセットデータが図６（ａ）のプリセットデータテーブルから読み出され、さらにそのプリセットデータのＩＤ６０２で特定されるヘッドフォン毎プリセットデータとＩＤ６０３で特定される使用環境毎プリセットデータが、図６（ｂ）のヘッドフォン毎プリセットデータテーブルおよび図６（ｃ）の使用環境毎プリセットデータテーブルから読み出される。そして、読み出されたヘッドフォン毎プリセットデータのＥＱ・レベル補正データ６１４と使用環境毎プリセットデータのＥＱ・レベル補正データ６２３に基づいて、現状のＥＱとトータルレベルの設定が補正される。この補正は、図４，５のＥＱ補正４０３およびレベル補正４０４に相当する。
【００２８】
図７のＥｄｉｔボタン７０２をオンすると、図８のプリセット編集画面８００が表示され、該画面８００でプリセットデータの編集を行うことができる。キャンセルボタン７１２で操作をキャンセルすることもできる（現状のプリセットの選択状態は変更されない）。
【００２９】
図８は、図７のＥｄｉｔボタン７０２をオンしたときに表示されるプリセット編集画面８００である。８０１は編集対象とするプリセットの一覧表示であり、図７の７０１と同じものである。プリセット編集画面８００が表示されたとき一覧表示８０１で選択状態にあるプリセットは、図７でＥｄｉｔボタン７０２を押下したときに選択状態にあるプリセットとする。ただし、図８の一覧表示８０１でもプリセットの選択のし直しをして、編集対象のプリセットを変更することができる。一覧表示８０１で選択されたプリセットが編集されて、ＯＫボタン８１１が押下されると、プリセット編集画面８００が閉じられて図７のプリセット選択画面７００に戻るが、そのとき一覧表示７０１で選択状態にあるプリセットは、ＯＫボタン８１１が押下された時点で一覧表示８０１で選択状態にあったプリセットであるものとする。キャンセルボタン８１２によりプリセット編集画面８００が閉じられたときは、そこまでの操作はキャンセルされる。
【００３０】
ユーザは、Ｎｅｗボタン８０２を押下することにより、任意のデータ名称を付けてプリセットを新規追加できる。新規追加されたプリセットは、一覧表示８０１中に表示され、選択状態になる。この新規追加の操作により、図６（ａ）のプリセットデータテーブルに新たなレコードが追加され、データ名称６０１にはユーザが設定したデータ名称が登録される。また、図６（ｂ）のヘッドフォン毎プリセットデータテーブルおよび図６（ｃ）の使用環境毎プリセットデータテーブルに、それぞれ、規定のルールで付けられたＩＤ６１１，６２１およびデフォルトの名称６１２，６２２でレコードが追加され、それらのレコードのＩＤ６１１，６２１の値が、前記追加されたプリセットデータのＩＤ６０２，６０３として設定される。また、ここで追加されたヘッドフォン毎プリセットデータのヘッドフォンＩＤ６１３の欄には、所定のルールで生成されたＩＤが設定され、ＥＱ・レベル補正データ６１４の欄には、ＥＱの各バンドおよびトータルレベルの何れについても補正量０ｄＢの初期値が設定される。同様に、ここで追加された使用環境毎プリセットデータのＥＱ・レベル補正データ６２３の欄には、ＥＱの各バンドおよびトータルレベルの何れについても補正量０ｄＢの初期値が設定される。要するに、Ｎｅｗボタンにより新規追加されるプリセットは、現状のＥＱとトータルレベルの設定を変更しない補正量（全て０ｄＢ）が設定される。
【００３１】
８０４は編集対象とするヘッドフォン毎プリセットデータの一覧表示である。この一覧表示８０４は、図６（ｂ）のヘッドフォン毎プリセットデータテーブルに登録されているヘッドフォン毎プリセットデータのヘッドフォン名称６１２とＩＤ６１３をリスト表示したものである。ユーザがこの一覧表示８０４から任意の１つのヘッドフォン毎プリセットデータを選択してＥｄｉｔボタン８０６を押下すると、図９のＥＱ・レベル補正画面９００（後に詳述する）が表示され、選択されたヘッドフォン毎プリセットデータの編集を行うことができる。
【００３２】
ユーザは、Ｎｅｗボタン８０５を押下することにより、任意のヘッドフォン名称を付けてヘッドフォン毎プリセットデータを新規追加できる。新規追加されたヘッドフォン毎プリセットデータは、一覧表示８０４中に表示され、選択状態になる。この新規追加の操作により、図６（ｂ）のヘッドフォン毎プリセットデータテーブルに新たなレコードが追加され、データＩＤ６１１とヘッドフォンＩＤ６１３の欄にはそれぞれ所定のルールで生成されたＩＤが設定され、ヘッドフォン名称６１２にはユーザが設定したヘッドフォン名称が登録される。ＥＱ・レベル補正データ６１４の欄には、ＥＱの各バンドおよびトータルレベルの何れについても補正量０ｄＢの初期値が設定される。
【００３３】
８０７は編集対象とする使用環境毎プリセットデータの一覧表示である。この一覧表示８０７は、図６（ｃ）の使用環境毎プリセットデータテーブルに登録されている使用環境毎プリセットデータの使用環境名称６２２をリスト表示したものである。ユーザがこの一覧表示８０７から任意の１つの使用環境毎プリセットデータを選択してＥｄｉｔボタン８０９を押下すると、図９のＥＱ・レベル補正画面９００（後に詳述する）が表示され、選択された使用環境毎プリセットデータの編集を行うことができる。
【００３４】
ユーザは、Ｎｅｗボタン８０８を押下することにより、任意の使用環境名称を付けて使用環境毎プリセットデータを新規追加できる。新規追加された使用環境毎プリセットデータは、一覧表示８０７中に表示され、選択状態になる。この新規追加の操作により、図６（ｃ）の使用環境毎プリセットデータテーブルに新たなレコードが追加され、データＩＤ６２１の欄には所定のルールで生成されたＩＤが設定され、使用環境名称６２２にはユーザが設定した使用環境名称が登録される。ＥＱ・レベル補正データ６２３の欄には、ＥＱの各バンドおよびトータルレベルの何れについても補正量０ｄＢの初期値が設定される。
【００３５】
ユーザは、プリセットの一覧表示８０１で任意の１つのプリセットを選択し、ヘッドフォン毎プリセットデータの一覧表示８０４で任意の１つのヘッドフォン毎プリセットデータを選択し、使用環境毎プリセットデータの一覧表示８０７で任意の１つの使用環境毎プリセットデータを選択したのち、ＳｅｔＰｒｅｓｅｔボタン８０３を押下することにより、選択されたプリセットとヘッドフォン毎プリセットデータおよび使用環境毎プリセットデータを関連付けることができる。具体的には、上述の操作に応じて、選択されたプリセットデータのＩＤ６０２の欄に、選択されたヘッドフォン毎プリセットデータのＩＤ６１１が設定され、選択されたプリセットデータのＩＤ６０３の欄に、選択された使用環境毎プリセットデータのＩＤ６２１が設定される。
【００３６】
図９は、図８のＥｄｉｔボタン８０６または８０９の押下により表示されるＥＱ・レベル補正画面９００を示す。Ｅｄｉｔボタン８０６の押下の場合は、選択されたヘッドフォン毎プリセットデータのＥＱ・レベル補正データ６１４を補正するための画面となり、Ｅｄｉｔボタン８０９の押下の場合は、選択された使用環境毎プリセットデータのＥＱ・レベル補正データ６２３を補正するための画面となる。
【００３７】
９０１は中心周波数が４０Ｈｚのバンドに設定されているイコライザの補正ゲイン（デシベル表記）を調整するためのスライダの表示である。９０３が０ｄＢの基準線であり、ツマミ９０２の位置がこのバンドに設定されている補正ゲイン値を示す。ユーザは、このツマミ９０２を選択状態にして上下にドラッグすることにより、その位置を変更して補正ゲイン値を変更することができる。同様に、１００Ｈｚ，２５０Ｈｚ，…，１０ｋＨｚの各バンドについても同様である。９０５はトータルレベルの補正ゲイン（デシベル表記）を調整するためのスライダの表示である。ＯＫボタン９１１の押下により、当該画面９００において設定された各補正ゲイン値が、ＥＱ・レベル補正データ６１４，６２３に書き込まれる。キャンセルボタン９１２により、操作をキャンセルすることもできる。
【００３８】
なお、図９の画面による補正は、実際に音楽データを再生しながら行うことができるものとする。これにより、実際に使用するヘッドフォンで音楽を聴きながら、低音が出ないヘッドフォンならＥＱで低音成分のバンドの補正ゲイン値を上げたり、トータルの音量が出ないヘッドフォンならトータルレベルの補正ゲイン値を上げたりして、ＥＱ・レベル補正データを設定することができる。使用環境に応じたＥＱ・レベル補正データの設定も同様である。また、上述の一覧表示７０１，８０１，８０７で表示している名称（すなわち、図６の６０１，６１２，６２２）は、所定の操作によりユーザが任意に変更できるものとする。データの削除も所定の操作によりユーザが任意に行えるものとする。
【００３９】
以上のようなプリセットデータとその設定画面を備えることにより、本実施形態の携帯型プレーヤでは、予めユーザが使用する複数のヘッドフォンに応じたヘッドフォン毎プリセットデータと、予めユーザが使用する複数の使用環境に応じた使用環境毎プリセットデータを、図６（ｂ）および（ｃ）のテーブルに用意しておくことができる。また、ヘッドフォン毎プリセットデータと使用環境毎プリセットデータを組み合わせたプリセットを用意しておくことができる。従って、ユーザは、第１のヘッドフォンをアウトドアで使用するケースが多ければ、第１のヘッドフォンに対応するヘッドフォン毎プリセットデータとアウトドアに対応する使用環境毎プリセットデータを組み合わせたプリセットを用意しておき、プリセット選択画面７００で簡単に選択することで、ヘッドフォンと使用環境の両方に応じて特性が補正された音楽を聴くことができる。また、ヘッドフォン毎プリセットデータと使用環境毎プリセットデータは、再利用して任意に組み合わせることができるので、例えば上記第１のヘッドフォンを電車内で使用する場合、電車内に対応する使用環境毎プリセットデータを新たに作れば、既に存在する第１のヘッドフォンに対応するヘッドフォン毎プリセットデータと組み合わせたプリセットを簡単に作成できる。
【００４０】
上記図３や図５で説明したＢｌｕｅｔｏｏｔｈ（商標）の無線通信機能を持つヘッドフォンを利用する場合、プレーヤ２００とヘッドフォン３０３とをペアリングする際にヘッドフォン３０３のＩＤがプレーヤ２００に通知されるので、それを契機として、該ヘッドフォンに対応するプリセットを自動作成したり自動選択することができる。
【００４１】
図１０は、ＩＤ付きヘッドフォンが接続されたときのプレーヤ側における処理手順を示す。この処理は、例えば上述したＢｌｕｅｔｏｏｔｈ（商標）の無線通信機能を持つヘッドフォン３０３がプレーヤ２００とペアリングされたとき、プレーヤ２００のＣＰＵ１０１が実行するものである。ペアリングされたヘッドフォンのＩＤ等の情報が本処理に通知される。
【００４２】
ステップ１００１では、通知されたヘッドフォンのＩＤを、図６（ｂ）のヘッドフォン毎プリセットデータテーブルのＩＤ６１３から探索する。このテーブルに既に登録されているＩＤであれば、ステップ１００２で、そのＩＤのヘッドフォン毎プリセットデータと現在選択されている使用環境（Ｐｌａｃｅ）の使用環境毎プリセットデータとを組み合わせたプリセットデータが、図６（ａ）のプリセットデータテーブル中にあるか判別する。あれば、ステップ１００３で、そのプリセットを適用して（自動的に選択状態とする）終了する。これにより、ヘッドフォンをペアリングしただけで、自動的にそのヘッドフォンと現在の使用環境に応じた特性で音楽を聴けるようになる。
【００４３】
ステップ１００２で該当するプリセットがなければ、ステップ１００４で、現在選択されている使用環境の使用環境毎プリセットデータと前記ヘッドフォンのＩＤのヘッドフォン毎プリセットデータとを組み合わせたプリセットデータを、図６（ａ）のプリセットデータテーブル上に新たに作成する（名称６０１は所定の名称とする）。次に、ステップ１００６で、作成したプリセットを適用し、ステップ１００７に進む。ステップ１００１で未登録のヘッドフォンの場合は、ステップ１００５で、通知された当該ヘッドフォンのＩＤをＩＤ６１３とし、通知された当該ヘッドフォンの機器名を名称６１２とし、全て０ｄＢの補正データをＥＱ・レベル補正データ６１４として、ヘッドフォン毎プリセットデータを図６（ｂ）のヘッドフォン毎プリセットデータテーブル上に作成し、現在選択されている使用環境の使用環境毎プリセットデータと組み合わせたプリセットデータを図６（ａ）のプリセットデータテーブル上に作成する。次に、ステップ１００６で、作成したプリセットを適用し、ステップ１００７に進む。ステップ１００７では、プリセット保存ダイアログを表示し、作成したプリセットを保存するか否かをユーザに問い合わせる。ユーザが保存することを選択した場合は、ステップ１００８で、図６のテーブル上に作成したデータをそのまま確定させて、終了する。ユーザが保存しないことを選択した場合は、ステップ１００９で、図６のテーブル上に作成したデータを削除し、終了する。
【００４４】
なお、上記ではＢｌｕｅｔｏｏｔｈ（商標）規格のヘッドフォンを利用する例で説明したが、例えばＵＳＢ（Universal Serial Bus）規格で接続するスピーカやヘッドフォンは、接続時に機器のＩＤなどをプレーヤ側に通知するので、上記図１０の処理がそのまま適用できる。
【符号の説明】
【００４５】
１０１…中央処理装置（ＣＰＵ）、１０２…リードオンリメモリ（ＲＯＭ）、１０３…ランダムアクセスメモリ（ＲＡＭ）、１０５…表示部、１０７…操作子、１０９…通信Ｉ／Ｏ、１１０…信号処理部（ＤＳＰ）、１１１…Ｂｌｕｅｔｏｏｔｈ（商標）モジュール、１１３…ＤＡユニット。
【図１】
0005630696.tif 000002
【図２】
0005630696.tif 000003
【図３】
0005630696.tif 000004
【図４】
0005630696.tif 000005
【図５】
0005630696.tif 000006
【図６】
0005630696.tif 000007
【図７】
0005630696.tif 000008
【図８】
0005630696.tif 000009
【図９】
0005630696.tif 000010
【図１０】
0005630696.tif 000011